(57)【特許請求の範囲】
【請求項１】
下腿部（Ｋ）に巻設される可撓性下腿保護部材（１０）を備え、下腿部（Ｋ）前面を保護する前下腿被覆部（２）を上下方向一体連結状に残して上記下腿保護部材（１０）の両側縁部の上下中間位置に切込部（５）（５）を形成し、
上記下腿保護部材（１０）は、上記前下腿被覆部（２）の上半分の第１前下腿被覆部（２Ａ）から左右へ延設される脹脛用突片部（３）（３）と、上記前下腿被覆部（２）の下半分の第２前下腿被覆部（２Ｂ）から左右へ延設される足首用突片部（４）（４）とを、上記切込部（５）（５）によって上下に分離して、上記脹脛用突片部（３）（３）と上記足首用突片部（４）（４）が別々に弯曲するように区画形成し、
しかも、上記脹脛用突片部（３）（３）の下端縁と上記足首用突片部（４）（４）の上端縁は、左右方向中間部に向けて、次第に接近して相互に当接し、上記切込部（５）（５）が、鋭利なＶ字形状を成し、
上記第１前下腿被覆部（２Ａ）と上記脹脛用突片部（３）（３）から成る上半部（１０Ａ）と、上記第２前下腿被覆部（２Ｂ）と上記足首用突片部（４）（４）から成る下半部（１０Ｂ）とを、上記脹脛部（Ｆ）と上記足首部（Ａ）に独立的に締付自在として、装着状態で、上記前下腿被覆部（２）が上記下腿部（Ｋ）の前面の曲面に沿って弯曲しつつ当接し、上記脹脛用突片部（３）（３）が上記脹脛部（Ｆ）の側面乃至背面の曲面に沿って弯曲しつつ当接し、かつ、上記足首用突片部（４）（４）が上記足首部（Ａ）の側面乃至背面の曲面に沿って弯曲しつつ当接するように構成され、
上記下腿保護部材（１０）は、表て面側に表皮部材（１１）を有し、該表皮部材（１１）によって複数の縦長状肉厚クッション部材（１４）（１４）を被覆すると共に該肉厚クッション部材（１４）（１４）の間隙部に表皮部材（１１）を押し込んで上下方向に縫着して複数本の縦縞状凹溝部（７）を形成し、上記表皮部材（１１）を上記肉厚クッション部材（１４）の反発力によって表て面側に盛り上げて縦長の突隆部（８）を複数個形成し、複数個の該突隆部（８）が上記前下腿被覆部（２）と上記脹脛用突片部（３）（３）と上記足首用突片部（４）（４）の表て面の全面に並設されていることを特徴とする打者用フットガード。
【請求項２】
上記脹脛用突片部（３）（３）及び上記足首用突片部（４）（４）の各々の左右両端縁部に、ベルト部材（２０）（２０）を取着可能に構成している請求項１記載の打者用フットガード。
【発明の詳細な説明】
【技術分野】
【０００１】
本発明は、打者用フットガードに関する。
【背景技術】
【０００２】
従来、球技をする際に、自打球が下腿部に直接当たらないように保護する打者用のフットガードは、自打球の衝撃から脛部を保護する硬質保護プレートと、硬質保護プレートの裏側に配設される柔軟緩衝パッドとの組み合わせによる構成となっている（特許文献１参照）。
特許文献１記載の打者用フットガードは、脛の前方中心部から両側部までを保護する下腿保護部材を備え、複数の上下方向縦長状硬質保護プレートを相互に分離して設け、脛の弯曲面に沿って内側に押し曲げられるように構成されている。
【先行技術文献】
【特許文献】
【０００３】
【特許文献１】登録実用新案第３１０５１８７号公報
【発明の概要】
【発明が解決しようとする課題】
【０００４】
しかし、人体の下腿部は、足首、踝、脹脛等の太さの異なる部位があるため、一つの上下に長い硬質保護プレートを有する従来の打者用フットガードでは、前後左右上下方向と立体的な下腿部の太さに沿うように密着させることが困難であった。即ち、下腿部の形状に沿うようにベルトを強く締め付けると、皺やうねりが発生して、使用者と下腿保護部材の間に大きな隙間ができ位置ズレが発生しやすくなる虞れや、使用者に不快感を与えてしまうという問題があった。
【０００５】
そこで、本発明は、下腿部の異なる太さの各部位に対応して密着し、位置ズレの発生を防止して、確実にその下腿部を保護する打者用フットガードを提供することを目的とする。
【課題を解決するための手段】
【０００６】
本発明に係る打者用フットガードは、下腿部に巻設される可撓性下腿保護部材を備え、下腿部前面を保護する前下腿被覆部を上下方向一体連結状に残して上記下腿保護部材の両側縁部の上下中間位置に切込部を形成し、上記下腿保護部材は、上記前下腿被覆部の上半分の第１前下腿被覆部から左右へ延設される脹脛用突片部と、上記前下腿被覆部の下半分の第２前下腿被覆部から左右へ延設される足首用突片部とを、上記切込部によって上下に分離して、上記脹脛用突片部と上記足首用突片部が別々に弯曲するように区画形成し、しかも、上記脹脛用突片部の下端縁と上記足首用突片部の上端縁は、左右方向中間部に向けて、次第に接近して相互に当接し、上記切込部が、鋭利なＶ字形状を成し、上記第１前下腿被覆部と上記脹脛用突片部から成る上半部と、上記第２前下腿被覆部と上記足首用突片部から成る下半部とを、上記脹脛部と上記足首部に独立的に締付自在として、装着状態で、上記前下腿被覆部が上記下腿部の前面の曲面に沿って弯曲しつつ当接し、上記脹脛用突片部が上記脹脛部の側面乃至背面の曲面に沿って弯曲しつつ当接し、かつ、上記足首用突片部が上記足首部の側面乃至背面の曲面に沿って弯曲しつつ当接するように構成され、上記下腿保護部材は、表て面側に表皮部材を有し、該表皮部材によって複数の縦長状肉厚クッション部材を被覆すると共に該肉厚クッション部材の間隙部に表皮部材を押し込んで上下方向に縫着して複数本の縦縞状凹溝部を形成し、上記表皮部材を上記肉厚クッション部材の反発力によって表て面側に盛り上げて縦長の突隆部を複数個形成し、複数個の該突隆部が上記前下腿被覆部と上記脹脛用突片部と上記足首用突片部の表て面の全面に並設されているものである。
【０００７】
また、上記脹脛用突片部及び上記足首用突片部の各々の左右両端縁部に、ベルト部材を取着可能に構成しているものである。
【発明の効果】
【０００８】
本発明の打者用フットガードによれば、下腿保護部材を下腿部に巻設する際に、太さの異なる部位に応じて、独立的に締め付け力を調整可能となり、脹脛や足首に沿うように確実に密着させることができる。即ち、下腿保護部材と下腿部の間に不要な隙間を生じることなく密着し、上下左右方向の位置ズレを防止すると共に、装着時の違和感を軽減できる。また、上半部と下半部とを夫々保護すべき部位に対応した形状に成形できるため、より広い範囲を覆って確実に保護することができる。
【図面の簡単な説明】
【０００９】
【図１】本発明の実施の一形態の装着状態を示した側面図である。
【図２】図１のＸ−Ｘ断面図である。
【図３】図１のＹ−Ｙ断面図である。
【図４】本発明の実施の一形態の未装着状態を示した正面図である。
【図５】本発明の実施の一形態の未装着状態を示した背面図である。
【図６】図４のＺ−Ｚ断面図である。
【図７】本発明の他の実施形態の未装着状態を示した正面図である。
【発明を実施するための形態】
【００１０】
以下、実施の形態を示す図面に基づき本発明を詳説する。
本発明の打者用フットガードは、野球やソフトボール等の打者の下腿部及び足甲部に自打球が直接当たらないように保護するものである。
図１乃至図３に示すように、本発明の打者用フットガード１は、装着状態で、下腿部Ｋに巻設される可撓性下腿保護部材１０と、下腿保護部材１０の下部に連繋され足の甲に固定される足甲保護部材６と、を備えている。
下腿保護部材１０の両側縁部の上下中間位置には、切込部５，５を形成し、独立的に締付自在な上半部１０Ａと下半部１０Ｂに区画形成している。下腿保護部材１０は、上半部１０Ａと下半部１０Ｂの各々の左右両端縁部に取着した締結自在のベルト部材２０，２０を、脹脛部Ｆと足首部Ａに巻き付けて、打者用フットガード１を下腿部Ｋに着脱自在に装着している。足甲保護部材６は、固定バンド１８によって固定され足の甲を保護している。
【００１１】
下腿保護部材１０は、下腿部Ｋ前面を保護する前下腿被覆部２を、上下方向一体連続状に有している。上半部１０Ａは、前下腿被覆部２の上半分の第１前下腿被覆部２Ａと、第１前下腿被覆部２Ａから左右へ延設され脹脛部Ｆに当接する脹脛用突片部３，３とを有し、下半部１０Ｂは、前下腿被覆部２の下半分の第２前下腿被覆部２Ｂと、第２前下腿被覆部２Ｂから左右へ延設され足首部Ａに当接する足首用突片部４，４とを有している。
前下腿被覆部２は、下腿部Ｋ前部の曲面にそって弯曲し、隙間無く当接している。脹脛用突片部３は、脹脛部Ｆの側面乃至背面の曲面にそって弯曲し、隙間無く当接している。足首用突片部４は、足首部Ａの側面乃至背面の曲面にそって弯曲し、隙間無く当接している。
なお、本発明に於て、「下腿部」とは、人体の膝の下から踝を含む足首までの範囲を示し、「脹脛部」は、下腿部の裏側の筋肉により太くなった部分を示し、「足首部」は、下腿部の下部であって脹脛部より下側の部分を示す。
【００１２】
図４乃至図６に示すように、下腿保護部材１０は、表て面側の表皮部材１１と、裏面側の当て生地１２と、薄板状の緩衝部材１３と、横断面蒲鉾形状の肉厚クッション部材１４と、を縫着部Ｇにて一体化している。表皮部材１１及び当て生地１２は、天然又は人工（合成）の皮革や、ナイロン系やポリエステル系の生地とするのが好ましい。緩衝部材１３及び肉厚クッション部材１４は、反発性を有する発泡プラスチック樹脂を用いるのが好ましい。
【００１３】
下腿保護部材１０は、表て面側に、複数本の縦縞状凹溝部７を形成して、上下方向に複数の突隆部８を形成している。
凹溝部７は、左右方向に所定ピッチをもって複数並べられた縦長の肉厚クッション部材１４，１４の間隙部に表皮部材１１を押し込んで、緩衝部材１３と裏面側の当て生地１２に縫着部Ｇによって縫製することで形成されている。肉厚クッション部材１４は、袋状に縫製された表皮部材１１に常に押圧力を与えられた状態で被覆され、反発力をもって表皮部材１１を押し返している。下腿保護部材１０の表て面には、表皮部材１１が反発力を有する肉厚クッション部材１４によって盛り上げられて、上下方向に縦長の突隆部８を複数個形成している。突隆部８は、野球の硬球やソフトボール等が直接に衝突した際に、衝撃を吸収するのに適度な反発力を有し、下腿保護部材１０の表て面の全面に並設されている。
下腿保護部材１０の外周縁は、帯状の縁巻部材１５を巻き付けて縫着部Ｈにて縫製されている。
【００１４】
下腿保護部材１０は、脹脛用突片部３，３及び足首用突片部４，４の各々の左右両端縁部に、ベルト部材２０，２０を取着可能とした取付け部材１６，１６を付設している。取付け部材１６，１６は、縁巻部材１５を挟み込むようにして輪状に縫着され、夫々にベルト部材２０，２０を着設している。ベルト部材２０，２０は、合成樹脂製のサイドリリース型のバックルから成る係止自在の留め具２１，２２を具備し、一方のベルト部材２０は雌の留め具２１から成り、他方のベルト部材２０は雄の留め具２２を有している。
【００１５】
次に、本発明の打者用フットガードの他の実施形態について説明する。
図７に示すように、他の実施形態の打者用フットガードは、別々の２部材として作製した上半部１０Ａと下半部１０Ｂとから成る下腿保護部材１０を有している。下腿保護部材１０は、上下中間位置の縫製部３０によって上半部１０Ａと下半部１０Ｂとを連結している。
縫製部３０は、上半部１０Ａの下端縁の一部を、下半部１０Ｂの上端縁に重ね合わせて一体状に縫着している。上半部１０Ａの下端縁は、下半部１０Ｂの上端縁の表て面側に僅かな縫い代をもって重ねられている。縫製部３０は、下腿部Ｋ前面に当接する部分（前下腿被覆部２）のみ左右方向に縫着し、下腿保護部材１０の両側縁部を未縫着状態の残部として切込部５，５を形成している。
【００１６】
下腿保護部材１０は、上半部１０Ａの第１前下腿被覆部２Ａと、下半部１０Ｂの第２前下腿被覆部２Ｂと、を縫製部３０によって連結し、上下方向に連続する前下腿被覆部２を形成している。
第１前下腿被覆部２Ａから左右へ延設される脹脛用突片部３，３と、第２前下腿被覆部２Ｂから左右へ延設される足首用突片部４，４とは、切込部５，５によって上下に分離しており、上半部１０Ａと下半部１０Ｂとが、独立的に締付自在となるように区画形成している。他の構成は、上述の実施の形態の構成と同様である。
【００１７】
上述した本発明の打者用フットガードの使用方法（作用）について説明する。
図１に示すように、まず、下腿部Ｋに、下腿保護部材１０の裏面側を当接させる。下腿保護部材１０は、下腿部Ｋの曲面に沿って断面視Ｃ字状に弯曲する。この際、下腿保護部材１０は、表て面側に形成した複数本の縦縞状凹溝部７によって、裏面側に曲がり易いように巻き込み癖が付いており、スムーズに弯曲する。そして、ベルト部材２０，２０を、脹脛部Ｆと足首部Ａに巻き付けて締結する。
図２及び図３に示すように、下腿保護部材１０の前下腿被覆部２は、下腿部Ｋ前部の曲面に沿うように弯曲し、隙間無く密着する。上半部１０Ａの脹脛用突片部３は、脹脛部Ｆの側面乃至背面の曲面に沿うように弯曲し、隙間無く密着する。下半部１０Ｂの足首用突片部４は、足首部Ａの側面乃至背面の曲面に沿うように弯曲し、隙間無く密着する。
なお、所望によって、適度の隙間をもたせて、やや弱めに巻付けて（締付けて）使用しても良い。
下腿保護部材１０は、上下に区画形成された上半部１０Ａと下半部１０Ｂによって、太さの異なる脹脛部Ｆと足首部Ａとを、独立的に締め付ける。下腿保護部材１０は、下腿部Ｋを局部的に圧迫することなく適度な圧迫力をもって装着される。
【００１８】
次に、使用者が競技中に自打球を下腿部に当ててしまう虞れがある場合には、下腿保護部材１０の表て面側に形成した複数の突隆部８によって衝撃を受け止める。突隆部８は、反発力をもって外部からの衝撃を緩和し、打者用フットガード１が装着された下腿部Ｋを確実に保護する。下腿保護部材１０は、下腿部Ｋの前面のみならず脹脛部Ｆを脹脛用突片部３，３で覆い、かつ、踝を含む足首部Ａを足首用突片部４，４で覆って、下腿部Ｋの側面乃至背面を広範囲にわたって保護する。
この際、下腿保護部材１０は、下腿部Ｋに隙間無く（又は殆ど隙間無く）当接し、適度な圧迫力をもって締め付けられているため、使用者が打撃動作による筋肉の蠕動を生じたとしても、左右方向（下腿部Ｋの周方向）に位置がズレない。また、脹脛部Ｆよりも細い足首部Ａに、下半部１０Ｂを巻き付けて締結しているため、下腿保護部材１０の位置が上下方向にズレることもない。
【００１９】
そして、使用者が打撃後に走塁をする際には、下腿部に打者用フットガード１を装着したまま塁間を走る。下腿保護部材１０は、軽く、しかも、裏面側の当て生地１２を、緩衝部材１３の反発力をもって下腿部Ｋに接しているため、装着時の圧迫感が低減される。
打者用フットガード１は、下腿部Ｋに装着したまま走っても邪魔にならず、使用者に違和感を感じさせない。
【００２０】
なお、本発明は、設計変更可能であって、例えば、ベルト部材２０，２０は、脹脛用突片部３，３及び足首用突片部４，４の各々の左右両端縁部に、面状ファスナーを取付けて取着するも好ましい。この場合、打者用フットガード１の着脱をより一層迅速に行なうことができる。
また、表皮部材１１は、予め凹凸波形に形成しておいて、凹溝部７を形成する際に、肉厚クッション部材１４，１４の間隙部に、凸部を嵌め込んで、縫着部Ｇを形成するもよい。こうすることで、突隆部８の反発力を低く設定することができ、野球やソフトボールの競技による球種の違いに対応した打者用フットガードを製作可能となる。
【００２１】
以上のように、本発明は、下腿部Ｋに巻設される可撓性下腿保護部材１０を備え、下腿保護部材１０の両側縁部の上下中間位置に切込部５，５を形成し、独立的に締付自在な上半部１０Ａと下半部１０Ｂに区画形成したので、下腿保護部材１０を下腿部Ｋに巻設する際に、太さの異なる部位に応じて、独立的に締め付けて適度な圧迫力を付与し、脹脛や足首に沿うように確実に密着させることができる。即ち、下腿保護部材１０と下腿部Ｋの間に不要な隙間の発生を防止し、上下左右方向の位置ズレを防止すると共に、装着時の違和感を軽減できる。また、上半部１０Ａと下半部１０Ｂとを夫々保護すべき部位に対応した形状に成形できるため、より広い範囲を覆って確実に保護することができる。
【００２２】
また、下腿保護部材１０は、下腿部Ｋ前面を保護する前下腿被覆部２を備え、上半部１０Ａは、前下腿被覆部２の上半分の第１前下腿被覆部２Ａと、第１前下腿被覆部２Ａから左右へ延設され脹脛部Ｆに当接する脹脛用突片部３，３と、を有し、下半部１０Ｂは、前下腿被覆部２の下半分の第２前下腿被覆部２Ｂと、第２前下腿被覆部２Ｂから左右へ延設され足首部Ａに当接する足首用突片部４，４と、を有するので、下腿部Ｋの前面から背面に至るまでを上下方向の広範囲にわたって確実に保護できる。
【００２３】
また、下腿保護部材１０の表て面側に、複数本の縦縞状凹溝部７を形成して、上下方向に複数の突隆部８を形成したので、重量の軽い構造であるにも関わらず、下腿部Ｋを自打球の衝撃から保護することができる。また、下腿保護部材１０が裏面側に曲がり易いように巻き込み癖を付けることができ、スムーズに弯曲させて下腿部Ｋに装着できる。
【００２４】
また、脹脛用突片部３，３及び足首用突片部４，４の各々の左右両端縁部に、ベルト部材２０，２０を取着可能に構成しているので、下腿部Ｋのほぼ全周にわたって均等かつ適度な締め付け力をもって、下腿部Ｋに下腿保護部材１０を快適に装着することができ、装着時の違和感を低減できる。
【符号の説明】
【００２５】
２  前下腿被覆部
２Ａ  第１前下腿被覆部
２Ｂ  第２前下腿被覆部
３  脹脛用突片部
４  足首用突片部
５  切込部
７  凹溝部
８  突隆部
１０  下腿保護部材
１０Ａ  上半部
１０Ｂ  下半部
１１  表皮部材
１４  肉厚クッション部材
２０  ベルト部材
Ｋ  下腿部
Ｆ  脹脛部
Ａ  足首部
【図１】
0005271297.tif 000002
【図２】
0005271297.tif 000003
【図３】
0005271297.tif 000004
【図４】
0005271297.tif 000005
【図５】
0005271297.tif 000006
【図６】
0005271297.tif 000007
【図７】
0005271297.tif 000008